(57)【要約】【課題】電波の送信の有無を設定できるだけでなく、その設定状態を周囲の使用者以外の人が容易に知ることができ、安心してその使用を是認することができる携帯通信装置を提供する。【解決手段】携帯通信装置は、上部にあって周囲からも見やすい位置に、緑色ＬＥＤ１１４ａ、黄色ＬＥＤ１１４ｂおよび赤色ＬＥＤ１１４ｃを備え、携帯通信装置の制御部１１０は、送信禁止の設定時に緑色ＬＥＤ１１４ａ、送信許可で着信待受け中に黄色ＬＥＤ１１４ｂ、送信許可で通話中に赤色ＬＥＤ１１４ｃをそれぞれ発光させる。【選択図】　図１
2004015263.tif 000002
【特許請求の範囲】
【請求項１】
携帯通信装置において、
アンテナを介して送信波を出力する送信手段と、
前記送信手段における前記送信波の出力動作を制御するための設定情報を入力する操作入力手段と、
前記操作入力手段から入力された前記設定情報に基づいて前記送信手段の前記送信波の出力動作に対する制御を行う制御手段と、
前記制御手段による前記送信手段の前記送信波の出力動作に対する制御状態を周囲に認識可能な形態で表示する状態表示手段と
を備えることを特徴とする携帯通信装置。
【請求項２】
前記制御手段は、前記送信手段に対し、前記送信波の出力を禁止するかまたは許可するかどちらか一方の制御を行い、前記状態表示手段は、前記制御手段にて前記送信手段に対し前記送信波の出力を禁止する制御が行われている場合は第１の表示形態にて表示し、一方、前記制御手段にて前記送信手段に対し前記送信波の出力を許可する制御が行われている場合は第２の表示形態にて表示することを特徴とする請求項１記載の携帯通信装置。
【請求項３】
前記状態表示手段は、前記送信手段が前記アンテナを介して前記送信波を出力している時に第３の表示形態にて表示することを特徴とする請求項２記載の携帯通信装置。
【請求項４】
前記操作入力手段は、実行可能な複数のアプリケーションに対応してそれぞれ個別に前記送信手段における前記送信波の出力動作を制御するための設定情報を入力し、前記制御手段は、実行中のアプリケーションに対応して前記操作入力手段から入力されている前記設定情報に基づいて、前記送信手段の前記送信波の出力動作に対する制御を行うことを特徴とする請求項１記載の携帯通信装置。
【請求項５】
前記操作入力手段は、前記送信手段における前記送信波の出力レベルを制御するための設定情報を入力し、前記制御手段は、前記送信手段における前記送信波の出力レベルが前記操作入力手段から入力された前記設定情報で示される出力レベルとなるよう前記送信手段を制御し、前記状態表示手段は、前記送信手段が前記アンテナを介して前記送信波を出力している時に、前記第１及び第２の表示形態とは異なる表示形態で、且つ、前記送信波の出力レベルに応じて異なる表示形態にて表示することを特徴とする請求項２記載の携帯通信装置。
【請求項６】
前記状態表示手段は、送信波の出力許可の状態に設定されている場合に、電波出力を禁止されている状態であるか否かを、さらに区別して表示することができることを特徴とする請求項１記載の携帯通信装置。
【請求項７】
前記状態表示手段は、送信波の出力許可の状態に設定されている場合に、送信波がアンテナから空中に出力されている場合と出力されていない場合とを、さらに区別して表示することができることを特徴とする請求項１記載の携帯通信装置。
【請求項８】
前記携帯通信装置において、送信波の出力許可の状態に設定されている場合の送信出力レベルを、使用者が選択または設定することができる手段をさらに備え、前記状態表示手段は、送信波の出力許可の状態に設定されている場合に、前記使用者が選択または設定した送信出力レベルに対応して表示の態様を変化させることができることを特徴とする請求項１乃至請求項３または請求項５乃至請求項７のいずれか１項記載の携帯通信装置。
【発明の詳細な説明】
【０００１】
【発明の属する技術分野】
本発明は携帯通信装置に係り、特に、電波の送信の有無を設定可能とし、その設定状態を使用者本人以外にも明示することのできる携帯通信装置に関する。
【０００２】
【従来の技術】
携帯通信装置が広く普及するに伴い、場所や周囲の状況により、携帯通信装置を使用して電波を送信することが適切でない場合のあることが認識されてきた。これに対応して、多くの携帯通信装置は、いわゆるマナーモードの機能を持ち、使用が不適切な場合に着信規制することが可能である。しかし、マナーモードに設定していても、着信待受け状態における携帯通信装置の所在確認等の目的で、基地局との間で定型的または機械的な送受信が行われており、電波の送信に伴って周囲に及ぼすことのある影響は皆無にならない。完全な対策は装置の電源を切ることであるが、そうすると、必ずしも電波の送信を伴わない用途（例えばメールの入力または保存したメール文面の表示）にも使えなくなリ、不便である。
【０００３】
特開２００１−２５７７７２号公報に開示された発明は、上記の問題を解決するためになされたもので、使用者の操作により装置の送信部の動作のみを禁止し、他の部分は動作を継続させ、電波の送信を必要としない用途に使用できるようにしたものである。
【０００４】
【発明が解決しようとする課題】
従来の技術により、携帯通信装置の電波の送信を必要としない用途において、電波を送信せずに使用することが可能であるが、装置をそのように設定していることは、通常、使用者本人しか知り得ない。例えば使用者の近くに居合わせた心臓ペースメーカーの利用者が、使用者が送信ＯＦＦの状態で表示されたメールの文面を読んでいる場合であっても、着信待受け状態にあって最寄りの基地局との間で電波の送受信を行っていると誤解し、自身の心臓ペースメーカーに対する影響を危惧することは、十分に考えられる。このような場面では、当事者間で無用の摩擦を起こし、周囲に迷惑をかけずに使用できるという装置の特色と、使用者の木目細かな配慮が、共に意味をなさない場合も考えられる。
【０００５】
本発明は、上記の課題を解決するためになされたもので、電波の送信の有無を設定できるだけでなく、その設定状態を周囲の使用者以外の人が容易に知ることができ、安心してその使用を是認することができる携帯通信装置を提供することを目的とする。
【０００６】
【課題を解決するための手段】
上記目的を達成するために、本発明の携帯通信装置は、電源を切らずに送信禁止または許可の制御を行うことのできる携帯通信装置において、送信禁止または許可のいずれの状態に設定されているかを区別して、使用者および使用者以外の周囲の人に示すことができる状態表示手段を備えることを特徴とする。
【０００７】
本発明によれば、送信の有無、および送信中の電波強度の変化等の態様が、使用者以外の周囲の人にも明示されるので、周囲の理解のもとで安心して携帯通信装置を使用することができる。
【０００８】
【発明の実施の形態】
（第１の実施の形態）
図１は、本発明の第１の実施の形態に係る携帯通信装置のブロック図である。
【０００９】
図中、１０１はアンテナ、１０２は送受信切換部、１０３は受信部、１０４は送信部、１０５は変復調部、１０６はＤＡ変換部およびドライバ、１０７は音声−電気変換部およびＡＤ変換部、１０８は受話器、１０９は送話器、１１０は制御部、１１１はメモリである。これらの構成は、携帯通信装置に通常用いられるものと同様である。
【００１０】
また、１１２ａは緑色ＬＥＤ（発光ダイオード）ドライバ、１１２ｂは黄色ＬＥＤドライバ、１１２ｃは赤色ＬＥＤドライバ、１１３は表示部ドライバ、１１４ａは緑色ＬＥＤ、１１４ｂは黄色ＬＥＤ、１１４ｃは赤色ＬＥＤ、１１５は表示部、１１６は操作入力部である。発光ダイオード１１４ａ乃至１１４ｃは、携帯通信装置の上部または背面等に、その発光が周囲の他人にも明確に認識される状態で設けられる。図２は、発光ダイオード１１４ａ乃至１１４ｃの取り付けの一例を示す外観図である。
【００１１】
これらの構成も、発光ダイオードの色、数量、位置等の異同はあっても、携帯通信装置に一般的に用いられる。しかしながら、後で述べるように本発明の第１の実施の形態においては、メモリ１１１に記憶された装置の設定条件に基づく制御部１１０の制御によって、発光ダイオード１１４ａ乃至１１４ｃの表示が、上記課題を解決するため適切に行われる点に特徴がある。
【００１２】
次に、図３および図４を用いて、本発明の第１の実施の形態に係る携帯通信装置の動作について説明する。図３は、当該携帯通信装置の発光ダイオード１１４ａ乃至１１４ｃの表示制御に関するフローチャート、図４は、使用者に電波設定変更の有無および設定の種別を問い合わせるメニュー表示の一例を示す図である。
【００１３】
初めに使用者が操作入力部１１６から、電波設定の操作を行うことにより、図３に示したフローがスタートする。この開始は、同じく使用者が操作入力部１１６から行う電源ＯＮの操作であってもよい（ステップＳ３０１）。
【００１４】
すると、表示部１１５に電波設定変更の有無を問い合わせる対話形式のメニューが表示される（ステップＳ３０２、表示の一例を図４（ａ）に示す）。図４（ａ）のケースでは、現在電波が一括ＯＦＦ（いかなる場合にも電波を送信しない）の状態に設定されているものとしている。
【００１５】
表示部１１５に表示された「現在電波は一括ＯＦＦです。変更しますか？」の問い合わせに対して、使用者が操作入力部１１６を操作して、「変更」を選択すると、表示部１１５は図４（ｂ）の画面表示に移行し、使用者は操作入力部１１６を操作して、電波変更設定を行う（ステップＳ３０３）。なお、使用者が操作入力部１１６を操作して、「キャンセル」を選択すると、ステップＳ３０３は迂回され、現状の電波設定が維持される。
【００１６】
図４（ｂ）に示すように、このケースでは、電波設定の選択肢を５種類設けている。「一括ＯＦＦ」は、いかなる場合にも電波を送信しないモードである。また、「待受ＯＮ」は、着信待受け状態において、本携帯通信装置の所在確認等の目的で、基地局との間で定型的または機械的な送受信を行うモードであり、発信または着信があったときには送信を伴う通話の状態へ移行する。
【００１７】
次の「アプリ毎」は、本携帯通信装置の各種のアプリケーション（例えば送信メール文面入力、受信メール文面表示、電話帳検索等）ごとに、送信ＯＮ／ＯＦＦの設定を可能とするモードである。これを選択した場合には、個別のアプリケーションについての設定画面に移行し、同様に操作入力部１１６を通じて設定操作を行うものと想定している。
【００１８】
次の「マナーモード」は、携帯通信装置の使用が適当といえない状況において、使用者が操作入力部１１６を操作して、着信規制目的のいわゆるマナーモードに設定した場合には、これに合わせて送信ＯＦＦに設定するモードである。したがって、この場合のマナーモードは、着信規制にとどまらないこととなる。
【００１９】
最後の「レベル設定」は、使用者が操作入力部１１６を操作して、状況に応じた適切な送信出力レベルを設定できるようにするためのモードである。これを選択した場合には、送信出力レベルの設定画面に移行し、同様に操作入力部１１６を通じて設定操作を行うものと想定している。制御部１１０は、設定された送信出力レベルをメモリ１１１に記憶すると共に、その設定された送信出力レベルに応じて、送信部１０４の出力レベルを制御する。
【００２０】
なお、図４（ｂ）の画面において、使用者が操作入力部１１６を操作して、「キャンセル」を選択すると、ステップＳ３０３は迂回され、現状の電波設定が維持される。また、図４（ａ）および（ｂ）に示したメニュー表示は一例であり、これ以外にも各種の表示の形態が考えられる。
【００２１】
続いて使用者は、携帯通信装置に実行させるアプリケーションを、操作入力部１１６におけるボタン等の操作、または表示部１１５に表示されるメニューの選択等、通常用いられる方法で選択する。なお、何らアプリケーションを選択せず待受けＯＮの状態を維持することも、選択肢の一つである（ステップＳ３０４、Ｓ３０５）。
【００２２】
以上のステップＳ３０２乃至Ｓ３０５による本携帯通信装置の電波設定とアプリケーションの選択の結果は、メモリ１１１に記憶されている。制御部１１０は、これに基づき、まず送信禁止に設定されているか否かを判断し（ステップＳ３０６）、禁止に設定されていれば（ステップＳ３０６のＹＥＳ）送信部１０４を制御して送信を禁止する（ステップＳ３０７）。これは、例えば送信部への電源供給または変調入力の遮断等の方法により、実現することができる。また、制御部１１０は、ＬＥＤドライバ１１２ａを駆動し、緑色ＬＥＤ１１４ａを点灯させる（ステップＳ３０８）。
【００２３】
一方、ステップＳ３０６において送信許可に設定されていれば（ステップＳ３０６のＮＯ）、制御部１１０は禁止の場合とは逆に送信部１０４を制御して送信を許可する（ステップＳ３０９）。これにより、着信待受け状態における本携帯通信装置の所在確認等の目的で、基地局との間で定型的・機械的な送受信を行うことが可能となる。待受け中に電波を出力していないときは（ステップＳ３１０のＮＯ）、制御部１１０はＬＥＤドライバ１１２ｂを駆動し、黄色ＬＥＤ１１４ｂを点灯させる（ステップＳ３１１）。
【００２４】
これに対し、待受け中にアンテナ１０１、受信部１０３および変復調部１０５を介して通話着信があったか、または使用者が操作入力部１１６を用いて発信操作を行ったときは、制御部１１０はそのことを認識し、主に変復調部１０５を通して通信制御・監視を行うと共に、ＬＥＤドライバ１１２ｃを駆動し、赤色ＬＥＤ１１４ｃを点灯させる（ステップＳ３１２）。通話が終了すると、送信許可・待受け中の状態に戻って、再び黄色ＬＥＤ１１４ｂを点灯させる（ステップＳ３１３）。
【００２５】
制御部１１０は、上記のように送信を禁止し緑色ＬＥＤ１１４ａを点灯させた状態（ステップＳ３０８）、または送信を許可し黄色ＬＥＤ１１４ｂを点灯させた状態（ステップＳ３１１、Ｓ３１３）、若しくは通話中であって赤色ＬＥＤ１１４ｃを点灯させた状態（ステップＳ３１２）を維持しつつ、ステップＳ３０４におけると同様のアプリケーション変更操作（ステップＳ３１４）、さらにはステップＳ３０３におけると同様の電波設定変更操作（ステップＳ３１５）を待つ。それらの変更があれば、それぞれステップＳ３０４のＹＥＳおよびステップＳ３０２のＹＥＳに戻り（ステップＳ３１４，Ｓ３１５）、それら以降の処理を繰り返す。また、それらの変更がなければ、スタートに戻って（ステップＳ３１６）上の処理を繰り返す。
【００２６】
以上述べたように、本発明の第１の実施の形態によれば、使用者は携帯通信装置の用途および周囲の状況に応じて、送信ＯＮ／ＯＦＦの設定を切換え、送信ＯＦＦの状態でも一定の用途に携帯通信装置を用いることができるだけでなく、送信ＯＦＦ／待受け（基地局に対する定型的または機械的送信を伴う）／通話中で送信ＯＮの３通りの状態のいずれにあるかを周囲からも認識することができる。したがって、このような携帯通信装置の送信状況表示の意味するところが、広く一般に知られるようになれば、携帯通信装置を周囲の理解の下に使用することができる。
【００２７】
なお、表示の手段はＬＥＤに限らず、また表示の位置も図２に示したものに限らないことは、いうまでもない。
【００２８】
（第２の実施の形態）
図５は、本発明の第２の実施の形態に係る携帯通信装置のブロック図である。
【００２９】
図中、１０１乃至１１６は、図１と共通であるので、説明を省略する。５０１はＬＥＤ発光輝度変調手段で、制御部１１０が設定した送信出力レベルに応じて、赤色ＬＥＤ１１４ｃの輝度を変化させる機能を持つ。また、送信部１０４は送信波形を監視し、送信が許可されている場合において、実際に送信波がアンテナ１０１を経て放射されているときだけ赤色、そうでないとき黄色の表示をするように、ＬＥＤドライバ１１２ｂおよび１１２ｃを制御する（これを送信波形一致制御と呼ぶことにする）。
【００３０】
本発明の第２の実施の形態に係る携帯通信装置の動作は、次の２点を除き、第１の実施の形態と共通である。まず、図３のステップＳ３０９（送信が許可された状態）の後、制御部１１０は通話着信若しくは発信の有無または通話の終了を判断せず、黄色ＬＥＤ１１４ｂおよび赤色ＬＥＤ１１４ｃのいずれも点灯するように、ＬＥＤドライバ１１２ｂ、１１２ｃを駆動する。
【００３１】
ここで、黄および赤の発光ダイオード（１１４ｂ、１１４ｃ）を点灯させるＬＥＤドライバ１１２ｂおよび１１２ｃは、制御部１１０からの制御と別に、送信部１０４から上記の送信波形一致制御を受け、その結果、実際に送信波がアンテナ１０１を経て放射されているときだけ赤色ＬＥＤ１１４ｃを点灯させ、送信波が放射されていないときは黄色ＬＥＤ１１４ｂを点灯させる。送信波形一致制御は、例えば送信波を検波して得られる送信有無の状態に一致する信号によって、発光ダイオードの駆動電流を導通若しくは遮断することにより、容易に実現することができる。
【００３２】
また、制御部１１０は、赤色ＬＥＤドライバ１１２ｃを、ＬＥＤ発光輝度変調手段５０１を介して駆動する。制御部１１０からＬＥＤ発光輝度変調手段５０１に与えられる信号は、送信部１０４に与えられるのと同じ送信出力レベルの設定値である。また、ＬＥＤ発光輝度変調手段５０１は、この設定値によってデューティ比を制御することのできるパルス発振器であり、送信出力レベルの設定値が大きいほどデューティ比の大きいパルス信号を、駆動電流として赤色ＬＥＤドライバ１１２ｃに与えるものとする。
【００３３】
こうすると、赤色ＬＥＤ１１４ｃは、送信出力レベルの設定値が大きいほどデューティ比の大きいパルス電流で駆動されるので、輝度が高くなる。
【００３４】
このように、本発明の第２の実施の形態に係る携帯通信装置は、第１の実施の形態に係る携帯通信装置の持つ特徴に加え、実際に送信波が空中に放射されているときに、設定された送信出力レベルに対応する輝度で赤色表示を行うことができるという特徴を有しており、送信の有無とレベルについて、より詳細な形で周囲に知らしめることができる。
【００３５】
なお、送信出力レベルに対応して表示の態様を変化させる方法は、以上述べた発光ダイオードの輝度変調の方法に限るものではない。
【００３６】
（第３の実施の形態）
以下に、本発明の第３の実施の形態を、図６乃至図１１を用いて説明する。
【００３７】
図６は、電波出力中であることを周囲に明示するため、赤色ＬＥＤを点滅表示させている状況を示す。
【００３８】
図７は、電波出力禁止中であることを周囲に明示するため、緑色ＬＥＤを点灯表示させている状況を示す。
【００３９】
図８は、電波出力中であって出力レベルが変動しているとき、相対的に低出力レベルであることを赤色ＬＥＤの比較的ゆっくりした点滅で、相対的に高出力レベルであることを赤色ＬＥＤの比較的早い点滅で、それぞれ表示させている状況を示す。
【００４０】
図９は、電波出力禁止の状態を緑色で、電波出力可能にするための設定操作中の状態を緑色の点滅で、電波出力可能の状態を黄色で、それぞれ表示させている状況を示す。
【００４１】
図１０は、通常の使用状態における送信・受信レベル表示の例を示す。
【００４２】
図１１は、使用者が設定中である送信レベルを白抜きで表示する例を示す。
【００４３】
【発明の効果】
本発明によれば、送信禁止または許可のいずれの設定においても、その送信の状況について周囲に知らしめ、その理解の下で円滑に携帯通信装置を使用することができる。
【図面の簡単な説明】
【図１】本発明の第１の実施の形態に係る携帯通信装置のブロック図。
【図２】本発明の第１の実施の形態に係る携帯通信装置の外観図。
【図３】本発明の第１の実施の形態に係るフローチャート。
【図４】本発明の第１の実施の形態に係るメニュー表示の一例。
【図５】本発明の第２の実施の形態に係る携帯通信装置のブロック図。
【図６】本発明の第３の実施の形態に係る電波出力中の表示。
【図７】本発明の第３の実施の形態に係る電波出力禁止状態の表示。
【図８】本発明の第３の実施の形態に係る電波出力レベルの変化の表示。
【図９】本発明の第３の実施の形態に係る電波出力設定の遷移の表示。
【図１０】本発明の第３の実施の形態に係る通常の使用状態における送信・受信レベルの表示。
【図１１】本発明の第３の実施の形態に係る使用者が設定中である送信レベルの表示。
【符号の説明】
１０１　アンテナ
１０２　送受信切換部
１０３　受信部
１０４　送信部
１０５　変復調部
１０６　ＤＡ変換部およびドライバ
１０７　音声−電気変換部およびＡＤ変換部
１０８　受話器
１０９　送話器
１１０　制御部
１１１　メモリ
１１２ａ　緑色ＬＥＤドライバ
１１２ｂ　黄色ＬＥＤドライバ
１１２ｃ　赤色ＬＥＤドライバ
１１３　表示部ドライバ
１１４ａ　緑色ＬＥＤ
１１４ｂ　黄色ＬＥＤ
１１４ｃ　赤色ＬＥＤ
１１５　表示部
１１６　操作入力部
５０１　ＬＥＤ発光輝度変調手段
【図１】
2004015263.tif 000003
【図２】
2004015263.tif 000004
【図３】
2004015263.tif 000005
【図４】
2004015263.tif 000006
【図５】
2004015263.tif 000007
【図６】
2004015263.tif 000008
【図７】
2004015263.tif 000009
【図８】
2004015263.tif 000010
【図９】
2004015263.tif 000011
【図１０】
2004015263.tif 000012
【図１１】
2004015263.tif 000013